(57)【要約】【課題】家庭ごみやペットの行動範囲規制のための折り畳み式囲い柵を提供する。【解決手段】４枚の矩形柵を平面視長方形に連結して構成する。対向する短辺の柵はその１／２辺幅の２個の小柵を連結して構成し、小柵４個、長辺に配する大柵２個の計６個の各柵は４隅に配した円筒管エルボー間をその円筒管内径に等しい外径の円筒管で繋いで構成した矩形枠体に網又は布を張って構成する。平面視長方形の４隅で隣り合う柵の矩形枠体間には枠体間角度を少なくとも０−９０度に開閉できる蝶番を上下に２個、前記隣り合う小柵の枠体間には枠体間角度を少なくとも０−１８０度に開閉できる蝶番を上下に２個取りつける。【選択図】図４
2017012097.tif 000002
【特許請求の範囲】
【請求項１】
収集場所に出された家庭ごみの周りに設置したり、ペットの行動範囲規制のため設置したりする折り畳み式囲い柵であって、
該囲い柵は４枚の矩形柵を平面視長方形に連結した囲い柵であって、対向する短辺の柵はその１／２辺幅の２個の小柵を蝶番で連結して構成され、小柵４個、長辺の大柵２個の計６個の各柵は４隅に配した円筒管エルボー間をその円筒管内径に等しい外径の円筒管又は丸棒で繋いで構成した矩形枠体に網又は布を張って構成されており、
前記平面視長方形の４隅で隣り合う柵の矩形枠体間には枠体間角度を少なくとも０−９０度に開閉できる蝶番が上下に２個、前記隣り合う小柵の枠体間には枠体間角度を少なくとも０−１８０度に開閉できる蝶番が上下に２個取りつけてあり、
囲い柵として使用する際は、前記平面視長方形の４隅で隣り合う柵間の蝶番は９０度、隣り合う小柵間の蝶番は１８０度に開いて平面視長方形の囲い柵とし、使用しないときは４隅で隣り合う柵間の蝶番は０度、隣り合う小柵間は蝶番で結合された部分を囲い柵の柵内側方向に移動させながら柵間角度が０度となるようにして折り畳むように構成されていることを特徴とする折り畳み式囲い柵。
【請求項２】
請求項１に記載の折り畳み式囲い柵において、前記平面視長方形の４隅で隣り合う柵の矩形枠体間に取り付ける蝶番は、ピン挿入孔を有する第１、第２ヒンジ、ピン、開閉制限部品からなる開閉制限付き抜き差し蝶番として構成され、前記第１、第２ヒンジの幅方向先端には内径が前記エルボー間を繋ぐ円筒管の外径に等しく、長さをヒンジ長さに等しくした円筒管がその中心線をヒンジ幅方向延長線が通るようにして取り付けてあり、前記開閉制限部品は長方形板材の長手方向両端部を直角に折り曲げた側面視コ状で、折り曲げ部間の内幅を前記ヒンジ長さの２倍として折り曲げ部には前記ピンを通すピン通過孔が形成してあり、
前記第１、第２ヒンジをそれらのピン挿入孔が直列に連なる状態にした上で前記開閉制限部品をその折り曲げ部のピン通過孔がヒンジのピン挿入孔に連なるように載置し、その状態で前記ピンを折り曲げ部、第１、第２ヒンジの各孔に連通させ、他端は第１、第２ヒンジ、開閉制限部品を回動可能にかしめて抜き差し蝶番とするもので、
前記第１、第２ヒンジ間の開きを大きくする方向に回動した場合には、開き角度が１８０度に達したときに第１、第２ヒンジが前記開閉制限部品の内面に当接してそれ以上の開きが制限されるように開閉制限部品の短辺幅、折り曲げ部の孔中心までの距離、第１、第２ヒンジのピン挿入孔から円筒管までの距離が調整してあり、
平面視長方形の４隅で隣り合う柵の矩形枠体間の蝶番として使用する際は、第１、第２ヒンジの円筒管内に隣り合う柵の矩形枠体を構成する円筒管を通して使用するように構成してあることを特徴とする折り畳み式囲い柵。
【請求項３】
請求項２に記載の折り畳み式囲い柵において、前記蝶番の第１、第２ヒンジの円筒管の側面には円筒管中心に向かう螺子孔が形成してあり、平面視長方形の４隅で隣り合う大柵、小柵間に前記蝶番を取りつける際は、蝶番の第１、第２ヒンジの開きを１８０度とし、その状態にて前記小柵はその枠面が枠の円筒管が挿通されたヒンジのピン挿入孔と円筒管を結ぶ線に直角、小柵に蝶番で繋ぐ大柵はその枠面が枠の円筒管が挿通されたヒンジのピン挿入孔と円筒管を結ぶ線の延長方向となるようにして前記各螺子孔にネジをねじ込んで蝶番を固定するように構成されていることを特徴とする折り畳み式囲い柵。
【発明の詳細な説明】
【技術分野】
【０００１】
本発明は、収集場所に出された家庭ごみに犬や猫が近づくのを防止するため家庭ごみ周りに設置したり、犬や猫などのペットを飼う場合にそれらペットの行動範囲規制のため設置したりする折り畳み式の囲い柵に関する。
【背景技術】
【０００２】
家庭ごみは決められた日に収集場所に出しておくが、収集場所に出してから実際に収集されるまでの間に犬や猫に食い散らかされることがある。それを防ぐには犬や猫が近づけないよう周りに柵を設置したり、網で覆っておいたりする必要がある。また、家庭内で犬や猫などのペットを飼う場合には、それらペットの行動を規制するために柵が用いられる。こうした目的の囲い柵は、使用しないときには収納場所をとらないようコンパクトに折り畳めることが好ましい。
【０００３】
こうした囲い柵として例えば特許文献１には、木製の枠部材を組み合わせたペット用サークルが開示されている。しかし、このペット用サークルは頑丈ではあるが重くて持ち運びに不便であり、折り畳みもできない。また、特許文献２にはペットを囲い込むケージとして使用するペット用柵が開示されている。しかし、このペット用柵の場合も折り畳みができない。
【先行技術文献】
【特許文献】
【０００４】
【特許文献１】特開２００７−２２２６５号公報
【特許文献２】特開２００７−１８９９３８号公報
【発明の開示】
【発明が解決しようとする課題】
【０００５】
本発明は、従来技術のこうした問題点を解決するためになされたもので、その課題は、収集場所に出された家庭ごみに犬や猫が近づかないように周りに設置したり、犬や猫などのペットを飼う場合にそれらペットの行動範囲規制のために用いたりする折り畳み式の囲い柵を提供することにある。
【課題を解決するための手段】
【０００６】
前記課題を解決するための請求項１に記載の発明は、収集場所に出された家庭ごみの周りに設置したり、ペットの行動範囲規制のため設置したりする折り畳み式囲い柵であって、該囲い柵は４枚の矩形柵を平面視長方形に連結した囲い柵であって、対向する短辺の柵はその１／２辺幅の２個の小柵を蝶番で連結して構成され、小柵４個、長辺の大柵２個の計６個の各柵は４隅に配した円筒管エルボー間をその円筒管内径に等しい外径の円筒管又は丸棒で繋いで構成した矩形枠体に網又は布を張って構成されており、平面視長方形の４隅で隣り合う柵の矩形枠体間には枠体間角度を少なくとも０−９０度に開閉できる蝶番が上下に２個、前記隣り合う小柵の枠体間には枠体間角度を少なくとも０−１８０度に開閉できる蝶番が上下に２個取りつけてあり、囲い柵として使用する際は、平面視長方形の４隅で隣り合う柵間の蝶番は９０度、隣り合う小柵間の蝶番は１８０度に開いて平面視長方形の囲い柵とし、使用しないときは４隅で隣り合う柵間の蝶番は０度、隣り合う小柵間は蝶番で結合された部分を囲い柵の柵内側方向に移動させながら柵間角度が０度となるようにして折り畳むように構成されていることを特徴とする折り畳み式囲い柵である。
【０００７】
このような構成の囲い柵は、６個の矩形枠体が隅に４個の円筒管エルボーを配してその間を円筒管エルボーの円筒管内径に等しい外径の円筒管で繋ぐ方式を採用しているため、使用する円筒管の長さを変えるだけで各種サイズの囲い柵を同じ手法で簡単に製作でき、また、不使用時には６個の矩形枠体を重ねた形状に折り畳むことができる利点を有する。
【０００８】
また、請求項２に記載の発明は、請求項１に記載の折り畳み式囲い柵において、平面視長方形の４隅で隣り合う柵の矩形枠体間に取り付ける蝶番は、ピン挿入孔を有する第１、第２ヒンジ、ピン、開閉制限部品からなる開閉制限付き抜き差し蝶番として構成され、前記第１、第２ヒンジの幅方向先端には内径が前記エルボー間を繋ぐ円筒管の外径に等しく、長さをヒンジ長さに等しくした円筒管がその中心線をヒンジ幅方向延長線が通るようにして取り付けてあり、開閉制限部品は長方形板材の長手方向両端部を直角に折り曲げた側面視コ状で、折り曲げ部間の内幅を前記ヒンジ長さの２倍として折り曲げ部にはピンを通すピン通過孔が形成してあり、第１、第２ヒンジをそれらのピン挿入孔が直列に連なる状態にした上で開閉制限部品をその折り曲げ部のピン通過孔がヒンジのピン挿入孔に連なるように載置し、その状態で前記ピンを折り曲げ部、第１、第２ヒンジの各孔に連通させ、他端は第１、第２ヒンジ、開閉制限部品を回動可能にかしめて抜き差し蝶番とするもので、第１、第２ヒンジ間の開きを大きくする方向に回動した場合には、開き角度が１８０度に達したときに第１、第２ヒンジが開閉制限部品の内面に当接してそれ以上の開きが制限されるように開閉制限部品の短辺幅、折り曲げ部の孔中心までの距離、第１、第２ヒンジのピン挿入孔から円筒管までの距離が調整してあり、平面視長方形の４隅で隣り合う柵の矩形枠体間の蝶番として使用する際は、第１、第２ヒンジの円筒管内に隣り合う柵の矩形枠体を構成する円筒管を通して使用するように構成してあることを特徴とする折り畳み式囲い柵である。
【０００９】
このような構成の囲い柵は、請求項１記載の利点を有することに加え、平面視形状を長方形、平行四辺形、外側に広がった六角形等の様々な形状とすることができる。
【００１０】
また、請求項３に記載の発明は、請求項２に記載の折り畳み式囲い柵において、前記蝶番の第１、第２ヒンジの円筒管の側面には円筒管中心に向かう螺子孔が形成してあり、平面視長方形の４隅で隣り合う大柵、小柵間に該蝶番を取りつける際は、蝶番の第１、第２ヒンジの開きを１８０度とし、その状態にて小柵はその枠面が枠の円筒管が挿通されたヒンジのピン挿入孔と円筒管を結ぶ線に直角、小柵に蝶番で繋ぐ大柵はその枠面が枠の円筒管が挿通されたヒンジのピン挿入孔と円筒管を結ぶ線の延長方向となるようにして前記各螺子孔にネジをねじ込んで蝶番を固定するように構成されていることを特徴とする折り畳み式囲い柵である。
【００１１】
このような構成の囲い柵は、平面視形状を長方形の角部で隣り合う枠体の枠体面が９０度以上にはならないため囲い柵の平面視形状が平行四辺形になったり、小柵と小柵の連結部が囲い柵の外方に膨らんだ形状になったりすることが防止される。このため使用状態での平面視長方形形状が確実に維持される。
【図面の簡単な説明】
【００１２】
【図１】本発明に係る折り畳み式囲い柵１００の斜視図である。
【図２】囲い柵１００の側面を構成する矩形枠体の平面図である。
【図３】囲い柵１００を折り畳んだ状態の平面図である。
【図４】蝶番８を取りつけた枠体間を面角度９０度にした場合の斜視図である。
【図５】蝶番８を取りつけた枠体間を面角度０度にした場合の斜視図である。
【図６】蝶番８の分解斜視図である。
【図７】蝶番８の組み立て方の説明図である。
【図８】蝶番８の組み立て方の説明図である。
【図９】蝶番８の第１、第２ヒンジ９、１０の開閉角度を１８０度にした場合の斜視図である。
【図１０】蝶番８の第１、第２ヒンジ９、１０の開閉角度を９０度にした場合の斜視図である。
【図１１】図４のＡ−Ａ線に沿った断面図である。
【図１２】図５のＢ−Ｂ線に沿った断面図である。
【図１３】隣り合う小柵同士を連結して開閉角度を１８０度にした場合の斜視図である。
【図１４】図１３のＣ−Ｃ線に沿った断面図である。
【図１５】隣り合う小柵同士を連結して開閉角度を０度にした場合の斜視図である。
【図１６】図１５のＤ−Ｄ線に沿った断面図である。
【発明を実施するための形態】
【００１３】
以下、本発明の折り畳み式囲い柵の一実施形態について図面を参照して説明する。図１は本発明に係る折り畳み式囲い柵１００を囲い柵として使用している状態の斜視図である。囲い柵１００は４枚の矩形柵１、２、３、４を平面視長方形に連結した囲い柵であって、対向する短辺に使用する柵１、２は何れも辺の幅が短辺幅の１／２の２個の小柵（１ａと１ｂ、２ａと２ｂ）を直線状に連結して構成されている。４個の小柵（１ａと１ｂ、２ａと２ｂ）と長辺に配置する２個の大柵３、４の計６個の各柵は図２に一例として示す大柵３と同じように、４隅に配した円筒管エルボー５間を円筒管エルボー５の円筒管内径に等しい外径の円筒管６で繋いで矩形枠体を形成し、その枠面に網、布、金網等を張って構成されている。
【００１４】
この囲い柵１００は折り畳み式であり、平面視長方形の４隅で隣り合う柵の枠体間には上下２個の蝶番を取りつけて枠体間の面角度が少なくとも０−９０度に開閉できるようにしてある。隣り合う小柵（１ａと１ｂ、２ａと２ｂ）の枠体間には互いの面角度を少なくとも０−１８０度に開閉できる蝶番が上下に２個取りつけてある。各短辺に配された２個の隣り合う小柵（１ａと１ｂ、２ａと２ｂ）の枠幅を合わせた短辺幅は長辺に配された大柵３、４の枠幅よりも狭いため、隣り合う小柵（１ａと１ｂ、２ａと２ｂ）の連結部を囲い柵１００内側に向けて折り曲げると同時に、平面視長方形の４隅で隣り合う柵の連結部を互いの面角度が小さくなる方向に折り曲げることにより、最終的には図３に示すように各枠体を重ねた状態に折り畳むことができる。
【００１５】
次に、平面視長方形の４隅で隣り合う柵の枠体間に取りつける蝶番の構成について説明する。この４隅に取りつける蝶番は隣り合う枠体間の面角度を少なくとも０−９０度に開閉できるものである。隣り合う小柵（１ａと１ｂ、２ａと２ｂ）の互いの面角度を１８０度に維持した状態、即ち、平面に開いた状態に保って４隅の蝶番により枠体間の面角度を９０度にすると囲い柵１００は平面視長方形の柵になる。対角に位置する２つの連結部の一方の開き角度を９０度超とし、他方を９０度未満にした場合には囲い柵１００は平面視平行四辺形の柵になる。こうした開き角度の変化に加え、隣り合う小柵（１ａと１ｂ、２ａと２ｂ）の互いの面角度を１８０度とは異なる角度にすれば、囲い柵１００を平面視六角形の複雑な形にすることができる。
【００１６】
しかし、囲い柵１００を家庭ごみ周りに設置したりペットの行動範囲制限に使用したりする場合には、平面視長方形であることが好ましい。そのためには平面視長方形の４隅には、隣り合う柵の枠体間面角度を９０度超にしない蝶番を取りつける必要がある。図４、図５はそのような蝶番８を取りつけた状態の斜視図であり、図１における小柵１と大柵３の連結部の上隅部分であり、図４は隣り合う枠体間面角度を９０度、図５は隣り合う枠体間面角度を０度にした状態である。
【００１７】
蝶番８は開閉制限付きの抜き差し蝶番として構成してあり、図６の分解斜視図に示すように第１、第２ヒンジ９、１０、ピン１１、開閉制限部品１２により構成される。第１、第２ヒンジ９、１０は同一形状で、基端部には旋回中心軸となるピン１１を通すピン挿入孔１３が蝶番８の長手方向に貫通にして設けられている。第１、第２ヒンジ９、１０の幅方向先端には、内径が円筒管エルボー５間を繋ぐ円筒管６の外径に等しく、長さをヒンジ長手方向長さに等しくした円筒管１４がその中心線をヒンジ幅方向延長線が通るようにして取り付けてある。開閉制限部品１２は長方形板材の長手方向両端部を直角に折り曲げた側面視コ状部品で、折り曲げ部１２ａ、１２ａ間の内幅をヒンジ長手方向長さの２倍とし、各折り曲げ部１２ａにはピン１１を通すピン通過孔１２ｂが形成してある。
【００１８】
これらの部品を蝶番８に組み立てる際は、最初に図７に示すように第１、第２ヒンジ９、１０をピン挿入孔１３が直列に連なる状態にし、次に図８に示すように開閉制限部品１２を各折り曲げ部１２ａのピン通過孔１２ｂがヒンジのピン挿入孔１３に連なるように配置する。その状態でピン１１を上下のピン通過孔１２ｂ、ヒンジの各ピン挿入孔１３に通し、他端を開閉制限部品１２の下側に突出させる。そして突出した下端先端部を、第１、第２ヒンジ９、１０、開閉制限部品１２がピン１１を中心に回動可能な状態にしてかしめ、ピン１１の抜けを防止する。
【００１９】
第１、第２ヒンジ９、１０は相互間の開閉角度が９０−１８０度の範囲を回動可能とする。図９は開閉角度を１８０度にした状態の斜視図、図１０は開閉角度を９０度にした状態の斜視図である。開閉角度を１８０度にすると第１、第２ヒンジ９、１０が開閉制限部品１２の内面に当接し、それ以上には開かないようにする。そのように最大開閉角度が１８０度に制限されるように、開閉制限部品１２の短辺幅、各折り曲げ部１２ａの孔１２ｂ中心位置、第１、第２ヒンジ９、１０のピン挿入孔１３から各円筒管１４までの距離を調整しておく。図１１は図４のＡ−Ａ線に沿った断面図で第１、第２ヒンジ９、１０の開閉角度が１８０度に制限された状態、図１２は図５のＢ−Ｂ線に沿った断面図で第１、第２ヒンジ９、１０の開閉角度を９０度にした状態の第１、第２ヒンジ９、１０、開閉制限部品１２の平面視状態を示している。
【００２０】
蝶番８は、第１、第２ヒンジ９、１０の幅方向先端の各円筒管１４に枠体の円筒管６を通した状態で取りつける。図２に示すように組立て完了した枠体には、通常の抜き差し蝶番で行なわれているように後から取りつけることはできない。蝶番８は各枠体の組立て途中に取りつける必要がある。その手順は幾つか考えられるが次のようにするとよい。図４に示す小柵１ａと大柵３の連結部を参照しながら説明する。ピン１１を挿入する前の蝶番８の第１、第２ヒンジ９、１０の各円筒管１４に、円筒管エルボー５に取り付ける前の大柵３と小柵１ａ側の各円筒管６をそれぞれ通す。その状態で枠側の各円筒管６を各円筒管エルボー５に差し込んで小柵１ａ、大柵３を別々に完成させる。次に、前述した蝶番８の組立て手順と同じように小柵１ａ、大柵３に取り付けた第１、第２ヒンジ９、１０をそれらのピン挿入孔１３が図７に示したように直列に連なる状態とし、続いて図８に示したように開閉制限部品１２を各折り曲げ部１２ａのピン通過孔１２ｂがヒンジのピン挿入孔１３に連なるように配置し、その状態でピン１１を取りつけて突出した下端先端部をかしめる。
【００２１】
この状態では蝶番８は小柵１ａ、大柵３の各円筒管６に沿って上下方向に移動可能であり、各円筒管６は第１、第２ヒンジ９、１０の各円筒管１４内で旋回可能状態になっている。これらの移動、旋回動作を止めるため、第１、第２ヒンジ９、１０の各円筒管１４の側面に円筒管中心に向かう螺子孔を形成しておき、その螺子孔にネジ１７をねじ込んで蝶番８を小柵１ａ、大柵３の各円筒管６に固定する。その固定は図４、図１１に示すように、第１、第２ヒンジ９、１０の開き角度を１８０度とし、その状態で第１、第２ヒンジ９、１０の二つの円筒管１４の中心線を結ぶ線に対して小柵１ａの枠面は直角方向、大柵３の枠面は結ぶ線の延長方向となるように小柵１ａ、大柵３の旋回位置を調整し、その状態でネジ１７を螺子孔にねじ込んで蝶番８を各円筒管６に固定する。このようにして固定しておけば、小柵１ａ、大柵３の開き角度が０度となるように小柵１ａを旋回させた場合には、図５、図１２に示すような状態となり、小柵１ａと大柵３を重ね合わせた状態に折り畳むことができる。
【００２２】
次に、隣り合う小柵同士を連結する部分の蝶番構造の例を、図１の小柵１ｂと小柵１ａを上部で繋ぐ部分を例に説明する。図１３はそのような蝶番を取りつけて連結した状態の斜視図、図１４は図１３のＣ−Ｃ線に沿った断面図である。この蝶番１５は図６に示した蝶番８用部品の中の第１、第２ヒンジ９、１０とピン１１の３部品を用いている。
【００２３】
最初に前記隅部への取り付けの場合と同様に、第１、第２ヒンジ９、１０の各円筒管１４に、円筒管エルボー５に取り付ける前の小柵１ｂと小柵１ａの各円筒管６をそれぞれ通す。その状態で枠側の各円筒管６を各円筒管エルボー５に差し込んで小柵１ｂと小柵１ａを別々に完成させる。次に、第１、第２ヒンジ９、１０のピン挿入孔１３が図７に示したように直列に連なる状態とし、その状態でピン１１を取りつけて突出した下端先端部をかしめる。続いて、図１３、図１４に示すように第１、第２ヒンジ９、１０の柵外側向きの開き角度を９０度の状態とし、その状態で第１、第２ヒンジ９、１０における各ピン挿入孔１３と各円筒管１４中心とを結ぶ線に対して小柵１ｂ、小柵１ａの各枠面が図１４に示すように１３５度となる方向に小柵１ｂと小柵１ａの旋回位置を調整し、その状態ネジ１７を螺子孔にねじ込んで蝶番１５を各円筒管６に固定する。このようにして固定しておけば、小柵１ｂと小柵１ａの開き角度が０度となるように小柵１ｂと小柵１ａを旋回させた場合には、図１５の斜視図、図１６に示す図１５のＤ−Ｄ線断面図に示すような状態となって小柵１ｂと小柵１ａを重ね合わせた状態に折り畳むことができる。平面視長方形の４隅は図１２に示すように、小柵と小柵の連結部は図１６に示すように折り畳むことにより囲い柵１００全体を図３に示したような形に折り畳むことができる。
【００２４】
以上説明した実施形態の囲い柵１００では、６個の矩形枠体は何れも４隅に配した円筒管エルボー５間を円筒管エルボー５の円筒管内径に等しい外径の円筒管６で繋ぐ方式で構成される。このため使用する円筒管６の長さを変えるだけで各種サイズの囲い柵１００を同じ手法で簡単に製作できる利点を有する。また、平面視長方形の囲い柵１００の角部で隣り合う柵間を繋ぐ部分には、隣り合う枠体の枠体面が９０度超には広がらないよう制限する構造の蝶番８が取り付けてある。このため囲い柵１００の平面視形状が平行四辺形になったり、小柵と小柵の連結部が囲い柵１００の外方に膨らんだ形状になったりすることが防止され、使用状態では平面視長方形形状が確実に維持される。また、不使用時には６個の矩形枠体が重なった形状に折り畳むことができる。こうしたことから本実施形態の折り畳み式囲い柵１００は、収集場所に出された家庭ごみに犬や猫が近づかないように周りに設置したり、犬や猫などのペットを飼う場合にそれらペットの行動範囲規制のために用いたりする囲い柵として好適といえる。
【符号の説明】
【００２５】
図面中、１、２、３、４は矩形柵、１、２は短辺の柵、１ａ、１ｂ、２ａ、２ｂは小柵、５は円筒管エルボー、６は円筒管、８は蝶番、９は第１ヒンジ、１０は第２ヒンジ、１１はピン、１２は開閉制限部品、１２ａは折り曲げ部、１２ｂはピン通過孔、１３はピン挿入孔、１４は円筒管、１７はネジ、１００は折り畳み式囲い柵を示す。
【図１】
2017012097.tif 000003
【図２】
2017012097.tif 000004
【図３】
2017012097.tif 000005
【図４】
2017012097.tif 000006
【図５】
2017012097.tif 000007
【図６】
2017012097.tif 000008
【図７】
2017012097.tif 000009
【図８】
2017012097.tif 000010
【図９】
2017012097.tif 000011
【図１０】
2017012097.tif 000012
【図１１】
2017012097.tif 000013
【図１２】
2017012097.tif 000014
【図１３】
2017012097.tif 000015
【図１４】
2017012097.tif 000016
【図１５】
2017012097.tif 000017
【図１６】
2017012097.tif 000018